(57)【要約】【課題】収納ケースに収納した各物品が重なっても各無線タグを正しく読み取る。しかも構成を簡単にする。【解決手段】無線タグ２を取り付けた郵便封筒１を複数並べて収納した収納ケース３を支持台４の上に載せる。この支持台の下にリーダ・アンテナ５を配置する。また、無線タグ２とリーダ・アンテナ５との間にある支持台の上に線状の導体からなる無給電素子８を複数、所定の間隔で配置する。そして、質問器７がリーダ・アンテナ５を介して各郵便封筒の無線タグからデータを読み取る。このとき無給電素子の作用によって全ての無線タグからデータを読み取ることが可能になる。【選択図】      図１
2007004813.tif 000002
【特許請求の範囲】
【請求項１】
無線タグを取り付けた平板状の物品を複数並べて収納する収納ケースの近傍に配置されたリーダ・アンテナと、
前記無線タグと前記リーダ・アンテナとの間に配置した、複数の線状の導体を各無線タグの並び方向に平行に並べるとともに各導体間の距離を前記収納ケースに収納される無線タグを取り付けた前記平板状の物品間の最小間隔よりも大きく設定した無給電素子とを備え、
前記リーダ・アンテナを介して前記各物品の無線タグを読み取ることを特徴とする無線タグ読取装置。
【請求項２】
無給電素子は、複数の線状の導体を、無線タグを取り付けた平板状の物品を並べた全体幅よりも狭い領域に並べたことを特徴とする請求項１記載の無線タグ読取装置。
【請求項３】
無線タグを取り付けた平板状の物品の並び方向に移動可能な可動基材を無線タグとリーダ・アンテナとの間に配置し、この可動基材上に無線給電素子を配置したことを特徴とする請求項１記載の無線タグ読取装置。
【請求項４】
無給電素子を、収納ケースを載せる支持台の上に配置し、この支持台の下にリーダ・アンテナを配置したことを特徴とする請求項１記載の無線タグ読取装置。
【発明の詳細な説明】
【技術分野】
【０００１】
本発明は、収納ケースに無線タグを取り付けた封筒などの物品を複数収納し、この各物品の無線タグからＩＤやデータを読み取る無線タグ読取装置に関する。
【背景技術】
【０００２】
収納ケースに無線タグを取り付けた物品、例えば郵便物を複数収納し、各郵便物に取り付けられた無線タグに格納されているＩＤやデータを、収納ケースの外部に配置したリーダ・アンテナで読み取る装置としては、収納ケース内を、アンテナを配置した複数の仕切り板で所定の間隔に仕切り、それぞれの仕切られた空間に郵便物を１つずつ収納し、それぞれ仕切り板に配置したアンテナを介して該当する無線タグからデータを読み取るものが知られている（例えば、特許文献１参照）。
【特許文献１】特開２００２−３７４２５公報
【発明の開示】
【発明が解決しようとする課題】
【０００３】
このように従来は、無線タグが重なるとデータの読み取りができなくなるという問題を解決するために、収納ケースに仕切り板を設けてそれぞれの仕切られた空間に郵便物を１つずつ収納するようにしていたが、この方法では、一度に多数の郵便物を収納することができず、このため、無線タグの読み取り効率が悪かった。また、収納ケースに仕切り板を設けるとともに各仕切り板にアンテナを配置しているため、構成が複雑化するという問題があった。  
逆に仕切り板のないケースに多数の郵便物を収納すると、各郵便物に取り付けられた無線タグ同士が重なってしまい、読み取りができなくなるという問題が発生する。
【０００４】
本発明は、このような問題を解決するために為されたもので、無線タグを取り付けた物品を収納ケースに一度に多数収納しても、各無線タグを正しく読み取ることができ、しかも構成を簡単化できる無線タグ読取装置を提供する。
【課題を解決するための手段】
【０００５】
本発明は、無線タグを取り付けた平板状の物品を複数並べて収納する収納ケースの近傍に配置されたリーダ・アンテナと、無線タグとリーダ・アンテナとの間に配置した、複数の線状の導体を各無線タグの並び方向に平行に並べるとともに各導体間の距離を収納ケースに収納される無線タグを取り付けた平板状の物品間の最小間隔よりも大きく設定した無給電素子とを備え、リーダ・アンテナを介して各物品の無線タグを読み取ることにある。
【発明の効果】
【０００６】
本発明によれば、無線タグを取り付けた物品を収納ケースに一度に多数収納して各物品が重なっても各無線タグのＩＤやデータを正しく読み取ることができ、これにより無線タグの読み取り効率を向上でき、しかも構成を簡単化できる。
【発明を実施するための最良の形態】
【０００７】
以下、本発明の実施の形態を、図面を参照して説明する。  
（第１の実施の形態）
図１は全体構成を示す図で、１はＩＤやデータを格納した無線タグ２を取り付けた物品、例えば、郵便封筒で、この郵便封筒１を多数重ねるように並べて収納ケース３に収納している。なお、ここでは内部の郵便封筒１が見えるように収納ケース３を点線で示している。
【０００８】
前記収納ケース３を支持台４の上に載せ、その支持台４の下方にリーダ・アンテナ５を配置している。前記リーダ・アンテナ５は同軸ケーブル６を介して質問器７に接続している。前記支持台４の上には、線状の導体からなる無給電素子８を複数、所定の間隔で配置している。
【０００９】
図２は、郵便封筒１の下端に例えば厚さが３mmで中空としたスペーサ９を貼り、このスペーサ９の中空によって形成した凹部１０に無線タグ２を貼り付けた無線タグ付き封筒１１を示している。この無線タグ付き封筒１１を、例えば３０枚、前記収納ケース３に無線タグ２が同じ高さ位置になるように揃えて入れる。前記収納ケース３は、例えば、ポリカーボネートなどの非金属によって構成されている。収納ケース３内においては隣接する無線タグ２間の最小間隔は、郵便封筒１の厚さとスペーサ９の厚さを加算した約３．２mm程度となる。
【００１０】
前記支持台４の上に配置される複数の無給電素子８は、図３に示すように、例えば幅ｔが１．０〜１．５mm程度で長さＬが４０mm程度の線状導体からなり、これを間隔Ｄで平行に配置している。ここでは間隔Ｄは約７mmになっている。そして、配置された複数の無給電素子８の両端にある無給電素子８間の幅Ｔを略９０mmにしている。
【００１１】
前記支持台４は、特にリーダ・アンテナ５と無線タグ２の間に位置する面を、電波を遮断しないようにポリカーボネートなどの非金属製材料によって形成している。  
このような構成とすることにより、収納ケース３に入れられた全ての無線タグ付き封筒１１の無線タグ２からＩＤやデータを読み取ることが可能になる。
【００１２】
図１に示す構成の無線タグ読取装置においては、無給電素子８の長さを、波長の３分の１前後に設定するのが最も適していることが実験から確認された。すなわち、無給電素子８の長さＬを変化させ、それぞれの長さにおいて支持台４の高さを可変しながら、収納ケース３に収納した３０枚の郵便封筒１１の無線タグ２からＩＤを読み取ることで実験を行った。
【００１３】
図４はこの実験における無給電素子８の長さＬと最大読取距離との関係の一例を示したグラフである。なお、最大読取距離とは、収納ケース３に収納した３０枚の郵便封筒１１の全ての無線タグ２からＩＤが読み取れるときの、リーダ・アンテナ５と支持台４の下面との間の最も離れた距離を言う。
【００１４】
図４のグラフから分かるように、無給電素子８の長さが４１mm付近で最大読取距離は最も大きくなり、４３mm辺りを超えると急に読取距離は短くなる。長さを４０mmよりも短くすると読取距離は短くなるが、長くした場合よりも緩やかに下降することが分かる。実際には、通信周波数として２．４５ＧＨｚを使っているので、波長は１２２．４mmであり、波長の３分の１の長さは４０．８mmになる。このように、無給電素子８を波長の略３分の１の長さにした場合に読取距離が最も大きくなり、読取性能を向上させることができる。
【００１５】
このように、無線タグ２とリーダ・アンテナ５との間に、無線タグ２の並び方向に導体から成る無給電素子８を複数平行に並べることにより、無線タグ２が重なってもＩＤの読み取りができるようになり、一度に多数の無線タグのＩＤを読み取ることができる。しかも、無給電素子８の長さを通信周波数の波長の略３分の１の長さとすることにより、読取性能の向上を図ることができる。
【００１６】
上述した例では隣接する無給電素子間の間隔Ｄを約７mmとしたが、この間隔Ｄを３mm〜１０mmに変化させて無線タグのＩＤ読取実験を行った時の、間隔Ｄと最大読取距離との関係の一例を図５にグラフで示す。すなわち、無線タグ２を取り付けた封筒１１を３０枚重なるように並べて収納ケース３に収納し、リーダ・アンテナ５で無線タグ２からＩＤを読み取り、このときに３０枚全ての封筒１１の無線タグ２からＩＤが読み取れたときのリーダ・アンテナ５と支持台４の下面との間の最大読取距離と、無給電素子８の間隔Ｄとの相関を示している。なお、通信周波数としては２．４５ＧＨｚを使用している。無線タグ付き封筒１１はスペーサ９によって約３mm間隔で並べられている。
【００１７】
図５に示すように、無給電素子８の間隔Ｄを無線タグ２の最小間隔と同等の３mmにすると最大読取可能距離は６５mmで、無給電素子８の間隔Ｄを広げていくと最大読取可能距離は徐々に大きくなり、無給電素子８の間隔Ｄを７mmにすると最大読取可能距離は１３５mmで最も大きくなる。さらに、無給電素子８の間隔Ｄを広げていくと最大読取可能距離は徐々に小さくなり１０mmにすると最大読取可能距離は９５mmとなる。  
このように無給電素子８の間隔Ｄには最適値があり、通信周波数を２．４５ＧＨｚに設定した状態で無線タグ２が３mm間隔で並んでいる場合には、無給電素子８の間隔Ｄを７mmにすると読取可能距離が最大となる。しかも、無給電素子８を配置する間隔Ｄは無線タグ２の最小間隔と同等とする必要は全くなく、むしろ無線タグ２の最小間隔よりも広くすることにより読取性能を高めることができることが分かった。すなわち、無給電素子８の間隔Ｄは７mm程度が最も適しているが、４mm〜１０mm程度であっても３mm間隔の場合よりも読取性能を向上することができる。
【００１８】
また、図６は配置する無給電素子８の本数を変化させてデータ読取実験を行った時の、本数と最大読取距離との関係の一例を示すグラフである。すなわち、無線タグ２を取り付けた封筒１１を３０枚重ねて収納ケース３に収納し、リーダ・アンテナ５で無線タグ２からＩＤを読み取ったときに、３０枚全ての封筒１１の無線タグ２からＩＤが読み取れたときのリーダ・アンテナ５と支持台４の下面との間の最大読取距離と、無給電素子８の本数との相関を示している。なお、通信周波数としては２．４５ＧＨｚを使用している。無線タグ付き封筒１１はスペーサ９によって約３mm間隔で並べられ、無給電素子８は７mm間隔で設けられている。
【００１９】
スペーサ９を取り付けた無線タグ付き封筒１１を３０枚重ねて並べると、全体の幅は約９０mmになる。そして、図７に示すように、１４本の無給電素子８を約７mmで配置すると、配置した全体の幅は、７mm×１３＝９１mmで封筒１１の全体幅と略等しくなる。この場合は図６から１３５mm程度の最大読取距離が得られる。これに対し、図８に示すように、６本の無給電素子８を約７mmで配置すると、配置した全体の幅は７mm×５＝３５mmで封筒１１の全体幅の、３分の１強程度と短くなる。この場合は図６から並べられた全ての封筒１１の無線タグ２を読み取ることができないことになる。
【００２０】
図６に示す結果から、無給電素子８の本数が１２本のときに読取距離が最大となり、１０本に減らしても１４本の場合よりも読取距離は大きくなっている。また、８本以下では最大読取距離は９０mm以下と短くなる。このように、図６においては無給電素子８の本数を９本から１５本程度にすることで最大読取可能距離を１００mm以上にできる。好ましくは、１０本から１３本の範囲に設定すれば最大読取可能距離を１４０mm以上にできる。これは封筒１１の全体幅に相当する本数である１４本よりも少なくすることにより最大読取可能距離を大きくすることができることを意味している。
【００２１】
このように、無線タグ付き封筒１１を多数収納する収納ケース３を載せる支持台４の上に線状の導体からなる無給電素子８を複数、所定の間隔で配置することで、収納ケース３に収納した封筒１１が重なっても各無線タグ２のＩＤやデータを正しく読み取ることができ、無線タグ２の読み取り効率を向上できる。しかも、支持台４の上に線状導体からなる無給電素子８を配置するのみで収納ケース３自体は単純な箱であり、全体の構成を簡単化できる。
【００２２】
また、支持台４の上に配置する無給電素子８の長さＬ、隣接する無給電素子８との間隔Ｄ、配置する無給電素子８の本数を適当に設定することで、収納ケース３内の全ての封筒１１に取り付けられた無線タグ２からＩＤやデータを正しく読み取ることができる最大読取可能距離を任意に設定することができる。
【００２３】
なお、この実施の形態では収納ケース３を載せる支持台４の上に無給電素子８を配置したがこれに限定するものではなく、例えば、収納ケース３の底面の内側あるいは外側に設けてもよく、要は、リーダ・アンテナ５と無線タグ２との間に位置するのであればどこに設けても構わない。
【００２４】
また、この実施の形態において、無給電素子８の長さは波長の３分の１程度にするのが最適として説明したが、無給電素子を取り付ける部材の誘電率により最適な長さは変化する。このため、常に波長の３分の１の長さが最適であるとは限らない。
【００２５】
（第２の実施の形態）
なお、前述した実施の形態と同一の部分には同一の符号を付し詳細な説明は省略する。  
図９に示すように、支持台４の上に複数の線状の導体を交差させて格子状にした無給電素子８１を配置している。すなわち、無給電素子８１は、図１０に示すように縦と横の寸法が共にａで等しい正方形状になっている。この寸法ａは通信周波数の約３分の１の長さにしている。通信周波数を２．４５ＧＨｚとすれば波長は１２２．４mmとなるので、この場合にはａ＝４０mmにしている。
【００２６】
そして、図１１に示すようにスペーサ９を使用せずに無線タグ２を貼り付けたのみの封筒１を例えば３０枚重なるように並べて収納ケース（図示せず）に収納し、この収納ケースを、無給電素子８１を配置した支持台４の上に載置する。そして、質問器７がリーダ・アンテナ５によって各無線タグ２からＩＤやデータを読み取る。なお、図１１では全体を横にしているがこれは無給電素子８１の配置状態を示すためで、実際には図９に示すようになっている。各封筒１はスペーサ９を取り付けていないので、封筒間の間隔は約１mmであり、３０枚重ねた全体の幅は約３０mmとなる。
【００２７】
このような構成における読み取り結果を図１２に示す。なお、この図では３０枚の封筒１の無線タグ２に対して１〜３０の番号を付し、ＩＤの読み取りができたものを「１」、読み取りができなかったものを「０」として表わしている。この結果から、リーダ・アンテナ５と支持台４の下面との間の距離が１５mm〜２５mmの範囲において３０枚の封筒１に取り付けられている無線タグ２のすべてからＩＤの読み取りができたことがわかる。
【００２８】
上記においては無給電素子８１の寸法aを４０mmとして説明したが、図１３は無線タグ２を貼り付けた封筒１を１mm間隔で１００枚並べた状態で、無給電素子８１の寸法aを３４mm、３６mm、３８mm、４０mm、４２mmと変化させ、それぞれの寸法においてリーダ・アンテナ５と支持台４の下面との間の距離を０〜１００mmまで５mmステップで変化させ、各距離にて無線タグのＩＤを読み取った読取枚数を合計したのべ読取枚数を示すグラフである。
【００２９】
図１３の結果からわかるように、寸法aが３８mm前後のときに最も読み取りが良好となる。また、寸法ａが４２mmになると急激にのべ読取枚数は低下する。この場合、通信周波数は２．４５ＧＨｚであり、その波長の約３分の１の長さは４０．８mmである。従って、無給電素子８１の寸法aを通信周波数の波長の約３分の１にするか、それよりも若干短くすることで無線タグ２の読み取りが良好となることがわかる。
【００３０】
このように、複数の線状の導体を交差させて格子状にした無給電素子８１を支持台４上に配置することにより、無線タグ２の間隔が１mmというような非常に近接して重なった場合にもデータを読み取ることができ、読取性能の向上を図ることができる。
【００３１】
次にスペーサ９を使用せずに無線タグ２を貼り付けたのみの封筒１を重ね、しかも無給電素子を配置し無い場合において、各無線タグ２からどの程度ＩＤが読み取れるかについて行った実験の結果について述べる。
【００３２】
すなわち、図１４に示すように、無線タグ２を貼り付けたのみの封筒１を３０枚重なるように並べて収納ケース（図示せず）に収納し、この収納ケースを、無給電素子を配置していない支持台（図示せず）の上に載置する。そして、リーダ・アンテナ５によって各無線タグ２からデータを読み取る。
【００３３】
このような構成における読み取り結果を図１５に示す。この結果から、例えばリーダ・アンテナ５と支持台４の下面との間の距離が４０mmの場合、３０枚の無線タグ２の中でＩＤが読み取れたものが１１枚のみであった。このように、無給電素子を配置しない場合には、重なっている封筒１の無線タグ２のすべてからＩＤを読み取ることは不可能である。
【００３４】
次に、スペーサ９を使用せずに無線タグ２を貼り付けたのみの封筒１を重ね、これを第１の実施の形態における線状の導体からなる無給電素子８を平行に配置したのみの場合において、各無線タグ２からどの程度ＩＤが読み取れるかについて行った実験の結果について述べる。
【００３５】
すなわち、図１６に示すように、スペーサ９を使用せずに無線タグ２を貼り付けたのみの封筒１を１mm間隔で３０枚重なるように並べて収納ケース（図示せず）に収納し、この収納ケースを、線状の導体からなる無給電素子８を例えば４本平行に配置した支持台４の上に載置する。そして、リーダ・アンテナ５によって各無線タグ２からＩＤを読み取る。
【００３６】
このような構成における読み取り結果を図１７に示す。線状の導体からなる無給電素子８を配置した場合、封筒１に厚さ３mmのスペーサ９を取り付けて無線タグ２の間隔を３mm以上にした場合には問題なく全ての無線タグ２からＩＤを読み取ることができたが、スペーサを使用せずに重ねた場合には無線タグ２の間隔が１mm程度しかなく、この場合には最大でも半数程度しか読み取りができなかった。
【００３７】
このように、スペーサを使用せずに無線タグ２を貼り付けたのみの封筒１を１mm間隔で並べて収納ケースに収納するような場合でも、支持台４の上に複数の線状の導体を交差させて格子状にした無給電素子８１を配置することで、全ての無線タグ２からＩＤやデータを読み取ることが可能になる。
【００３８】
なお、この実施の形態では無給電素子として、複数の線状の導体を交差させて格子状にした無給電素子８１を配置した場合について述べたが、他の構成であっても１mm間隔で重ねた封筒１の無線タグ２からデータを読み取ることができる。すなわち、図１８の(a)に示すように面状導体で四角形などの角形のものや、(b)に示すように面状導体で円形のものや、(c)に示すように面状導体で角形のものから４つの角と対向する一対の辺の一部を切り取った形状のものであっても格子状の無給電素子８１と同等の機能が得られる。また、図１８の(d)に示すように格子状に配置した線状導体で囲まれた一部を面状の導体で埋めたものや、(e)に示すように複数の線状の導体を交差させて格子状にしたものを傾けた形状のものであっても無給電素子８１と同等の機能が得られる。
【００３９】
また、上記実施の形態では、格子状の無給電素子８１は縦と横の寸法が共にａで等しい正方形状としたが、厳密な正方形状である必要はなく、また、縦と横の寸法が異なっていても構わない。
【００４０】
また、この実施の形態において、無給電素子８１の寸法ａは波長の３分の１程度にすることにより読み取りが良好となることを示したが、無給電素子８１を取り付ける部材の誘電率により最適な長さは変化する。このため、常に波長の３分の１の長さが最適であるとは限らない。
【００４１】
（第３の実施の形態）
なお、この実施の形態は無線タグ２を貼り付けた郵便封筒１を重ねて収納する収納ケースの変形例について述べる。  
図１９に示す収納ケース３１は、内部の底面３１ａを階段状に形成したもので、その底面の断面を示すと図２０に示すように同じ方向に複数の階段を繰り返し配置する構成になっている。この収納ケース３１に無線タグ２を貼り付けた郵便封筒１を多数重なるように並べて収納すると、図２１に示すように、各封筒１は上下方向の位置が底面の段差に応じてずれる。
【００４２】
このように、封筒１の上下方向の位置が底面の段差に応じてずれることから、各封筒１の同じ位置に貼り付けられた無線タグ２も上下にずれることになる。従って、各封筒１が１mm間隔で重なっていても隣接した無線タグ２では上下の位置にずれがあるので、ずらさずに重なっている場合に比べて無線タグからのデータの読み取りは確実にできるようになる。すなわち、無線タグの読み取り性能を向上させることができる。
【００４３】
また、このように無線タグ２を上下にずらすことによって線状の導体からなる無給電素子８を複数本並行に配置した場合においてもスペーサを使用せずに全ての無線タグ２からデータを読み取ることが可能になる。
【００４４】
また、図２２に示す収納ケース３２は、内部の底面３２ａを斜面状に形成したもので、同じ方向に複数の斜面を繰り返し配置する鋸歯状の構成になっている。  
このような構成の収納ケース３２においても無線タグ２を貼り付けた郵便封筒１を多数重なるように並べて収納すると、各封筒１は上下方向の位置が底面の斜面に応じてずれる。従って、各封筒１の同じ位置に貼り付けられた無線タグ２も上下にずれることになり、この場合もずらさずに重なっている場合に比べて無線タグからのデータの読み取りは確実にできるようになる。
【００４５】
この収納ケースの底面の形状としては、その他、図２３に示すように階段状であっても一部の階段の向きを変えたものや、図２４に示すように底面に高さの異なる凹凸をランダムに形成したものであってもよい。
【００４６】
（第４の実施の形態）
なお、この実施の形態は無線タグ２を貼り付けた郵便封筒１の変形例について述べる。  
図２５に示すように、郵便封筒１に無線タグ２の貼り付け範囲を決める枠１ａを印刷し、この枠１ａの中に無線タグ２を、(a)、(b)、(c)に示すようにランダムに貼り付ける。なお、枠１ａ内への無線タグ２の貼り付けは、人が直接行っても、また、無線タグ貼り付け装置を使って自動的に行っても良い。無線タグ貼り付け装置を使用する場合には、無線タグ貼り付け装置にあらかじめ貼り付け範囲を記憶させておき、貼り付け範囲内のランダムな位置に無線タグを貼り付けるようにプロブラミングしておくことにより実現できる。
【００４７】
このように郵便封筒１に無線タグ２をランダムに貼り付けることで、図１に示したような底面が平坦な収納ケース３に多数の郵便封筒１を重なるように並べて入れても、各無線タグ２の存在する位置は異なる。すなわち、隣接する無線タグが重なり合うことはほとんど無くなる。従って、各無線タグ２からデータを確実に読み取ることが可能になり、読取性能を向上させることができる。
【００４８】
（第５の実施の形態）
なお、この実施の形態は支持台とこの上に配置される格子状の無給電素子８１の変形例について述べる。  
前述した第２の実施の形態では、線状の導体を格子状にした無給電素子８１を使用することで、郵便封筒１に貼り付けられた無線タグ２の間隔が１mmというような非常に近接して並べた場合にも無線タグのＩＤやデータを読み取ることができ、読取性能を向上できることを述べた。
【００４９】
これは無給電素子８１の寸法ａが、重なった郵便封筒１の幅に略等しい場合には問題ないが、例えば、郵便封筒１が１００枚程度重なっている場合には各封筒間の間隔が１mmであっても全体の幅は１００mmになる。これに対して無給電素子８１の寸法ａを４０mm程度にした場合、無給電素子８１から外れた位置に並んでいる郵便封筒１が生じる。そして、このような郵便封筒１に貼り付けられている無線タグ２については読み取り性能が低下し、ＩＤやデータを読み取ることができない無線タグが発生する。
【００５０】
そこで、図２６に示すように、支持台４の上に溝１５を形成し、その溝１５に沿って移動する可動基材１６を設け、その可動基材１６の上に格子状の無給電素子８１を配置する。前記可動基材１６はポリカーボネート製など非金属製のもので、可動機構（図示せず）により溝１５に沿って自動的に移動するようになっている。  
そして、支持台４の上に、図２７に示すように、無線タグを貼り付けた郵便封筒１を多数重なるように並べて収納した収納ケース３を、郵便封筒１の並びの方向が可動基材１６の移動方向と一致するようにして載せる。
【００５１】
このような構成においては、可動基材１６を溝１５に沿って一方の端から他方の端に移動させつつリーダ・アンテナ５によって各郵便封筒１の無線タグ２からＩＤやデータを読み取る。すなわち、可動基材１６が通過する位置には格子状の無給電素子８１が配置されているので、その上に位置する無線タグ２からは確実にＩＤやデータを読み取ることができる。従って、可動基材１６が溝１５に沿って一方の端から他方の端へ移動することで収納ケース３内の郵便封筒１に貼り付けられている無線タグの全てからＩＤやデータを確実に読み取ることができる。
【００５２】
なお、ここでは可動基材１６を移動させながら無線タグを読み取るようにしたが、可動基材１６を一旦静止させて無線タグを読み取り、その後移動させてから再び静止させて無線タグを読み取ることを繰り返す方法であってもよい。  
また、ここでは無給電素子８１を配置した可動基材１６を移動させるようにしたが、無給電素子８１を支持台４の上に固定し、収納ケース３を支持台４の上で移動させるようにしても同様の効果が得られる。
【図面の簡単な説明】
【００５３】
【図１】本発明の、第１の実施の形態に係る全体構成を示す図。
【図２】同実施の形態における無線タグ付き封筒を示す斜視図。
【図３】同実施の形態における無給電素子の配置状態を示す図。
【図４】同実施の形態において無給電素子の長さＬを変化させたときの、長さＬと最大読取距離との関係の一例を示したグラフ。
【図５】同実施の形態において無給電素子の間隔Ｄを変化させたときの、間隔Ｄと最大読取距離との関係の一例を示したグラフ。
【図６】同実施の形態において無給電素子の本数を変化させたときの、本数と最大読取距離との関係の一例を示したグラフ。
【図７】同実施の形態において約３mm間隔で並べた無線タグ付き封筒に対して約７mm間隔で１４本の無給電素子を配置した状態を示す斜視図。
【図８】同実施の形態において約３mm間隔で並べた無線タグ付き封筒に対して約７mm間隔で６本の無給電素子を配置した状態を示す斜視図。
【図９】本発明の、第２の実施の形態に係る全体構成を示す図。
【図１０】同実施の形態で使用する無給電素子の構成を示す図。
【図１１】同実施の形態においてスペーサを使用しない封筒を並べた場合の無線タグのデータ読取り例を示す概略構成図。
【図１２】図１１の構成におけるデータ読取結果を示す図。
【図１３】同実施の形態において無給電素子の寸法を変化させ、それぞれの寸法においてリーダ・アンテナと無線タグ間の距離を変化させ、各距離にて無線タグを読み取った読取枚数を合計したのべ読取枚数を示すグラフ。
【図１４】スペーサを使用しない封筒を並べた場合で、無給電素子を使用しないで無線タグのデータ読み取りを行う場合の概略構成図。
【図１５】図１４の構成におけるデータ読取結果を示す図。
【図１６】スペーサを使用しない封筒を並べた場合で、線状の導体からなる無給電素子を使用して無線タグのデータ読み取りを行う場合の概略構成図。
【図１７】図１６の構成におけるデータ読取結果を示す図。
【図１８】同実施の形態における無給電素子の各種変形例を示す図。
【図１９】本発明の、第３の実施の形態に係る収納ケースの底面構成を示す斜視図。
【図２０】同実施の形態における底面構成を示す断面図。
【図２１】同実施の形態において収納ケースに郵便封筒を収納した状態を示す図。
【図２２】同実施の形態における収納ケースの底面構成の変形例を示す斜視図。
【図２３】同実施の形態における収納ケースの底面構成の変形例を示す断面図。
【図２４】同実施の形態における収納ケースの底面構成の変形例を示す断面図。
【図２５】本発明の、第４の実施の形態に係る郵便封筒の構成を示す図。
【図２６】本発明の、第５の実施の形態に係る支持台の構成を示す斜視図。
【図２７】同実施の形態における支持台の上に郵便封筒を収納した収納ケースを載せた状態を示す斜視図。
【符号の説明】
【００５４】
１…郵便封筒、２…無線タグ、３…収納ケース、５…リーダ・アンテナ、８…無給電素子。
【図１】
2007004813.tif 000003
【図２】
2007004813.tif 000004
【図３】
2007004813.tif 000005
【図４】
2007004813.tif 000006
【図５】
2007004813.tif 000007
【図６】
2007004813.tif 000008
【図７】
2007004813.tif 000009
【図８】
2007004813.tif 000010
【図９】
2007004813.tif 000011
【図１０】
2007004813.tif 000012
【図１１】
2007004813.tif 000013
【図１２】
2007004813.tif 000014
【図１３】
2007004813.tif 000015
【図１４】
2007004813.tif 000016
【図１５】
2007004813.tif 000017
【図１６】
2007004813.tif 000018
【図１７】
2007004813.tif 000019
【図１８】
2007004813.tif 000020
【図１９】
2007004813.tif 000021
【図２０】
2007004813.tif 000022
【図２１】
2007004813.tif 000023
【図２２】
2007004813.tif 000024
【図２３】
2007004813.tif 000025
【図２４】
2007004813.tif 000026
【図２５】
2007004813.tif 000027
【図２６】
2007004813.tif 000028
【図２７】
2007004813.tif 000029